(57)【要約】【課題】広告効率が高くても利用者の個人情報をサーバ側に登録する必要がなく、通信回線網におけるトラフィック量を増加させない広告配信システムおよび広告配信方法を提供する。【解決手段】サーバ装置では、広告を分類するための分類方法およびその各分類に対応する全ての識別符号（広告分類ＩＤ）を予め格納しておき、複数の広告データに対して、分類方法に従って分類し、分類に対応する広告分類ＩＤを各広告データに付与した後、各端末装置に向けて送出し、各端末装置では、全ての広告分類ＩＤのうちで少なくとも端末使用者の嗜好する広告分類に対する広告分類ＩＤを個別嗜好データとして各端末装置毎に予め格納しておき、受信した広告分類ＩＤ付きの全広告データを個別嗜好データに従って選別し（Ｓ１４）、選別された広告データのみを格納する（Ｓ１６）。【選択図】　　　　図４
2004118382.tif 000002
【特許請求の範囲】
【請求項１】
サーバ装置が通信回線網経由で各端末装置に広告データを配信し、各端末装置では広告データを受信し、該広告データの受信完了をサーバ装置に通知する広告配信システムにおける広告配信方法であって、
サーバ装置では、広告を分類するための分類方法および該各分類に対応する全ての識別符号（広告分類ＩＤ）を予め格納しておき、複数の広告データに対して、前記分類方法に従って分類し、該分類に対応する広告分類ＩＤを各広告データに付与した後、各端末装置に向けて送出し、
各端末装置では、前記全ての広告分類ＩＤのうちで少なくとも端末使用者の嗜好する広告分類に対する広告分類ＩＤを個別嗜好データとして各端末装置毎に予め格納しておき、受信した前記広告分類ＩＤ付きの全広告データを前記個別嗜好データに従って選別し、選別された広告データのみを格納する
ことを特徴とする広告配信方法。
【請求項２】
前記各端末装置では、前記選別された広告データを格納した後に、サーバ装置に向けて広告データ受信完了通知を送信し、
前記サーバ装置では、受信した広告データ受信完了通知の数を配信数として計数する
ことを特徴とする請求項１に記載の広告配信方法。
【請求項３】
前記サーバ装置では、受信した広告データ受信完了通知の計数結果を以前の配信数に加算して新たな配信数とする
ことを特徴とする請求項２に記載の広告配信方法。
【請求項４】
前記サーバ装置では、前記広告データを送出する時に計時を開始し、所定時間内に受信した広告データ受信完了通知の計数結果を以前の配信数に加算する
ことを特徴とする請求項３に記載の広告配信方法。
【請求項５】
前記各端末装置では、受信した前記広告分類ＩＤ付きの広告データを再配信し、再配信先から受信した広告データ受信完了通知の数を計数して再配信数として記憶し、該再配信数を広告データ受信完了通知をサーバ装置に送出する際に送出し、
前記サーバ装置では、受信した広告データ受信完了通知の数を配信数として計数すると共に、受信した前記再配信数を前記配信数に加算する
ことを特徴とする請求項２〜４の何れかに記載の広告配信方法。
【請求項６】
前記各端末装置では、前記広告データを再配信のために送出する時に計時を開始し、所定時間内に受信した広告データ受信完了通知の計数結果を以前の再配信数に加算して格納する
ことを特徴とする請求項５に記載の広告配信方法。
【請求項７】
前記各端末装置では、前記広告データの配信元がサーバ装置である場合のみに、前記広告データ受信完了通知をサーバ装置に送出する際に再配信数も共に送出する
ことを特徴とする請求項５または６に記載の広告配信方法。
【請求項８】
前記サーバ装置では、前記広告データ受信完了通知を受信する際に再配信数も受信した場合、該再配信数を前記配信数に加算し、再配信数を配信数に加算した通知を、前記再配信数を送出した端末装置に向けて送出する
ことを特徴とする請求項７に記載の広告配信方法。
【請求項９】
前記各端末装置では、前記再配信数を配信数に加算した通知をサーバ装置から受信した場合、格納した再配信数をクリアする
ことを特徴とする請求項８に記載の広告配信方法。
【請求項１０】
前記広告分類ＩＤは、前記広告データが更新される毎に所定の順番に従って異なる符号が付与されるバージョン情報を含み、
前記サーバ装置では、前記広告データの広告分類ＩＤ中のバージョン情報を新規付与または更新し、
前記端末装置では、バージョンが新規または更新された場合のみに、前記選別された広告データを格納する
ことを特徴とする請求項１〜９の何れかに記載の広告配信方法。
【請求項１１】
前記サーバ装置は、広告データ受信完了通知と共に受信した前記再配信数を前記配信数に加算する前に、前記各端末装置毎に格納しておき、サーバ装置あるいは端末装置の使用者の操作入力により各端末装置毎の再配信数を昇順あるいは降順に並べ替えて出力する
ことを特徴とする請求項８〜１０の何れかに記載の広告配信方法。
【請求項１２】
前記サーバ装置は、前記各端末装置毎の再配信数を並べ替えて出力する際に、前記広告分類ＩＤおよび前記バージョン情報の少なくとも１つを用いて昇順あるいは降順に並べ替えて出力する
ことを特徴とする請求項１１に記載の広告配信方法。
【請求項１３】
広告データを配信するために通信回線網経由で送出するサーバ装置と、広告データを受信して広告データの受信完了をサーバ装置に通知する複数の端末装置とからなる広告配信システムであって、
前記サーバ装置は、
広告データを分類するための分類プログラムを予め格納する広告分類プログラム記憶部と、
該各分類に対応する全ての識別符号（広告分類ＩＤ）を予め格納する広告分類ＩＤデータ記憶部と、
複数の広告データおよびその広告分類ＩＤを格納する広告データ記憶部と、
広告データの配信数を格納する配信数記憶部と、
前記広告データを前記分類プログラムに基づいて分類し、該分類に対応する広告分類ＩＤを広告データに付与して送出し、前記各端末装置から受信した広告データ受信完了通知の数を加算して配信数を配信数記憶部に格納する管理部とを有し、
前記端末装置は、
前記全広告分類ＩＤを格納する記憶部と、
前記全広告分類ＩＤから使用者の個別嗜好を検出する検出プログラムを格納する検出プログラム記憶部と、
前記検出プログラムにより検出された使用者の個別嗜好データを格納する個別嗜好データ記憶部と、
受信した広告データを、前記個別嗜好データに基づいて選別する広告データ選別部と、
選別された広告データを格納する広告データ記憶部と、
前記全広告分類ＩＤから前記検出プログラムに基づいて使用者の個別嗜好データを検出して前記個別嗜好データ記憶部に格納し、前記広告データ選別部で選別された広告データを前記広告データ記憶部に格納し、前記広告データの格納後、広告データ受信完了通知をサーバ装置に送出する管理部とを有する
ことを特徴とする広告配信システム。
【請求項１４】
前記サーバ装置は、広告データの送出時に計時を開始し、配信数を判断するための所定時間が経過するまでを計時するタイマを有する
ことを特徴とする請求項１３に記載の広告配信システム。
【請求項１５】
前記サーバ装置は、広告分類ＩＤデータ中に、前記広告データが更新される毎に所定の順番に従って異なる符号が付与されるバージョン情報を含み、分類プログラムでは該バージョン情報を含む広告分類ＩＤデータで分類し、
前記端末装置の広告データ選別部は、バージョンが新規または更新された場合の広告データのみを選別する
ことを特徴とする請求項１３または１４に記載の広告配信システム。
【請求項１６】
前記端末装置は、
受信した広告データを他の端末装置に再配信する広告データ再配信部と、
再配信先からの広告データ受信完了通知を再配信数として計数するカウンタと、
前記再配信数を格納する再配信数記憶部と
を有して、
前記端末装置の管理部は、前記再配信数を広告データ受信完了通知と共にサーバに通知し、
前記サーバ装置は、
前記再配信数を受信し配信数に加算したことを通知する再配信数加算通知部を有する
ことを特徴とする請求項１３〜１５の何れかに記載の広告配信システム。
【請求項１７】
前記端末装置は、広告データの再配信時に計時を開始し、再配信数を判断するための所定時間が経過するまでを計時するタイマを有する
ことを特徴とする請求項１６に記載の広告配信システム。
【請求項１８】
前記サーバ装置は、
前記広告データ受信完了通知と共に受信した前記配信数に加算する前の前記再配信数を、前記各端末装置毎に格納する再配信者データ記憶部と、
該再配信者データ記憶部に格納された再配信数のデータを、各端末装置毎の再配信者識別符号（ＩＤ）、広告分類ＩＤ、バージョン情報、および、再配信数のうちの少なくとも１つを用いて昇順あるいは降順に並べ替えて出力するランキング管理部とを有する
ことを特徴とする請求項１６または１７に記載の広告配信システム。
【請求項１９】
前記サーバ装置および端末装置が接続される通信回線網は、ネットワーク層あるいはデータリンク層を有してパケットによりデータが送受信され、該パケットのヘッダには、宛先アドレスの一部として少なくとも前記広告分類ＩＤを含む
ことを特徴とする請求項１３〜１８の何れかに記載の広告配信システム。
【請求項２０】
請求項１３〜１９の何れかに記載された広告配信システムにおける、広告データを配信するサーバ装置。
【請求項２１】
請求項１３〜１９の何れかに記載された広告配信システムにおける、広告データを受信して広告データの受信完了通知をサーバ装置に送信する端末装置。
【発明の詳細な説明】
【０００１】
【発明の属する技術分野】
本発明は、サーバ装置が通信回線網経由で各端末装置に広告データを配信する広告配信システムに関し、特に、各端末装置が広告データの受信完了をサーバ装置に通知する広告配信システムに関する。
【０００２】
【従来の技術】
近年における携帯電話装置、携帯情報端末（ＰＤＡ：Ｐｅｒｓｏｎａｌ　Ｄｉｇｉｔａｌ　Ａｓｓｉｓｔａｎｔ）、モバイル・パソコン（パーソナルコンピュータ）等の無線技術の普及により、従来からの有線通信回線網を介しての各種ネットワークサービスの利用に加えて、外出中であっても無線通信回線網を介して様々なネットワークサービスが利用できるようになっている。
【０００３】
また、各種ネットワークサービスの中には、各端末宛に配信されるサービス内容画面の一部にバナー広告と称されるスポンサーの広告を配置して、スポンサーからの広告収入により運営されるサービスがある。
【０００４】
バナー広告により運営されるネットワークサービスの中には、自由に閲覧（利用）できるものもあるが、閲覧者がサーバ装置等に事前登録をすることにより閲覧（利用）できるものがある。また、さらに事前登録する際に、閲覧者の嗜好をサーバ装置等に登録することで、閲覧者の嗜好に合ったスポンサーの広告を選択して配信するものがある。この閲覧者の嗜好を登録して選択された広告を配信することは、スポンサーにとっては広告効果が高まり、閲覧者にとっても不要な広告を減らし有用な広告を多く見ることができるので、双方にとってメリットがある（例えば、特許文献１参照）。
【０００５】
【特許文献１】
特開２００２−４９８３８号公報（第４−６頁、図１、図３、図５）
【０００６】
【発明が解決しようとする課題】
上記したように従来の閲覧者にとって有用な広告を多くするネットワークサービスでは、必ず閲覧者の嗜好をサーバ装置あるいは管理センタ等に登録する必要があった。しかしながら、一般的なネットワークサービスの閲覧者（利用者）は、個人情報の流出や無断転用等を恐れて、信頼性が未定のサービスに対して個人情報を提供することを好まない。そのため、ネットワークサービス側でサービスを提供するために登録を要求しても、登録される個人情報は必ずしも正確とは限らない。
【０００７】
個人情報が正確でなくなると、上記した広告効果の向上も見込めなくなり、閲覧者にとっても不要な広告が多くなるので通信時間が増加することから利用効率が悪くなり、それに従って、サーバ装置等における閲覧者の嗜好等の個人情報を管理するためのコストも割高になるという問題がある。
【０００８】
また、閲覧者にとって有益な広告を個別に選択して配信することは、閲覧者全員に同じ広告を配信する場合よりも通信回線網におけるトラフィック量を増加させる。特に無線の通信回線では、光ファイバ等の通信回線に比べて１回線を使用可能な利用者数が少ないことと、利用者が複数の基地局を移動しながら使用するために、各基地局からサーバ装置等への通信接続に関する問い合わせが個別に発生することから、通信回線網の通信容量が不足しがちになるという問題がある。
【０００９】
本発明は、上述した如き従来の問題を解決するためになされたものであって、広告効率が高くても利用者の個人情報をサーバ側に登録する必要がなく、通信回線網におけるトラフィック量を増加させない広告配信システムおよび広告配信方法を提供することを目的とする。
【００１０】
【課題を解決するための手段】
上述の目的を達成するため、本発明の広告配信方法では、サーバ装置が通信回線網経由で各端末装置に広告データを配信し、各端末装置では広告データを受信し、広告データの受信完了をサーバ装置に通知する広告配信システムにおける広告配信方法であって、サーバ装置では、広告を分類するための分類方法および該各分類に対応する全ての識別符号（広告分類ＩＤ）を予め格納しておき、複数の広告データに対して、前記分類方法に従って分類し、該分類に対応する広告分類ＩＤを各広告データに付与した後、各端末装置に向けて送出し、各端末装置では、前記全ての広告分類ＩＤのうちで少なくとも端末使用者の嗜好する広告分類に対する広告分類ＩＤを個別嗜好データとして各端末装置毎に予め格納しておき、受信した前記広告分類ＩＤ付きの全広告データを前記個別嗜好データに従って選別し、選別された広告データのみを格納することを特徴とする。
【００１１】
また、本発明の広告配信方法では、各端末装置において、選別された広告データを格納した後に、サーバ装置に向けて広告データ受信完了通知を送信し、サーバ装置では、受信した広告データ受信完了通知の数を配信数として計数しても良い。
【００１２】
また、本発明の広告配信方法では、サーバ装置において、受信した広告データ受信完了通知の計数結果を以前の配信数に加算して新たな配信数としても良い。
【００１３】
また、本発明の広告配信方法では、サーバ装置において、広告データを送出する時に計時を開始し、所定時間内に受信した広告データ受信完了通知の計数結果を以前の配信数に加算しても良い。
【００１４】
また、本発明の広告配信方法では、各端末装置において、受信した前記広告分類ＩＤ付きの広告データを再配信し、再配信先から受信した広告データ受信完了通知の数を計数して再配信数として記憶し、その配信数を広告データ受信完了通知をサーバ装置に送出する際に送出し、サーバ装置において、受信した広告データ受信完了通知の数を配信数として計数すると共に、受信した前記再配信数を前記配信数に加算しても良い。
【００１５】
また、本発明の広告配信方法では、端末装置において、広告データを再配信のために送出する時に計時を開始し、所定時間内に受信した広告データ受信完了通知の計数結果を以前の再配信数に加算して格納しても良い。
【００１６】
また、本発明の広告配信方法では、各端末装置において、広告データの配信元がサーバ装置である場合のみに、広告データ受信完了通知をサーバ装置に送出する際に再配信数も共に送出しても良い。
【００１７】
また、本発明の広告配信方法では、サーバ装置において、広告データ受信完了通知を受信する際に再配信数も受信した場合、その再配信数を配信数に加算し、再配信数を配信数に加算した通知を、再配信数を送出した端末装置に向けて送出しても良い。
【００１８】
また、本発明の広告配信方法では、各端末装置において、再配信数を配信数に加算した通知をサーバ装置から受信した場合、格納した再配信数をクリアしても良い。
【００１９】
また、本発明の広告配信方法では、広告分類ＩＤが広告データが更新される毎に所定の順番に従って異なる符号が付与されるバージョン情報を含む場合、サーバ装置において、広告データの広告分類ＩＤ中のバージョン情報を新規付与または更新し、端末装置において、バージョンが新規または更新された場合のみに、選別された広告データを格納しても良い。
【００２０】
また、本発明の広告配信方法では、サーバ装置において、広告データ受信完了通知と共に受信した再配信数を配信数に加算する前に、各端末装置毎に格納しておき、サーバ装置あるいは端末装置の使用者の操作入力により各端末装置毎の再配信数を昇順あるいは降順に並べ替えて出力しても良い。
【００２１】
また、本発明の広告配信方法では、サーバ装置において、各端末装置毎の再配信数を並べ替えて出力する際に、広告分類ＩＤおよびバージョン情報の少なくとも１つを用いて昇順あるいは降順に並べ替えて出力しても良い。
【００２２】
上述の目的を達成するため、本発明の広告配信システムは、広告データを配信するために通信回線網経由で送出するサーバ装置と、広告データを受信して広告データの受信完了をサーバ装置に通知する複数の端末装置とからなる広告配信システムであって、サーバ装置は、広告データを分類するための分類プログラムを予め格納する広告分類プログラム記憶部と、その各分類に対応する全ての識別符号（広告分類ＩＤ）を予め格納する広告分類ＩＤデータ記憶部と、複数の広告データおよびその広告分類ＩＤを格納する広告データ記憶部と、広告データの配信数を格納する配信数記憶部と、広告データを分類プログラムに基づいて分類し、その分類に対応する広告分類ＩＤを広告データに付与して送出し、各端末装置から受信した広告データ受信完了通知の数を加算して配信数を配信数記憶部に格納する管理部とを有し、端末装置は、全広告分類ＩＤを格納する記憶部と、全広告分類ＩＤから使用者の個別嗜好を検出する検出プログラムを格納する検出プログラム記憶部と、検出プログラムにより検出された使用者の個別嗜好データを格納する個別嗜好データ記憶部と、受信した広告データを、個別嗜好データに基づいて選別する広告データ選別部と、選別された広告データを格納する広告データ記憶部と、全広告分類ＩＤから検出プログラムに基づいて使用者の個別嗜好データを検出して個別嗜好データ記憶部に格納し、広告データ選別部で選別された広告データを広告データ記憶部に格納し、広告データの格納後、広告データ受信完了通知をサーバ装置に送出する管理部とを有することを特徴とする。
【００２３】
また、本発明の広告配信システムでは、サーバ装置は、広告データの送出時に計時を開始し、配信数を判断するための所定時間が経過するまでを計時するタイマを有しても良い。
【００２４】
また、本発明の広告配信システムでは、サーバ装置は、広告分類ＩＤデータ中に、広告データが更新される毎に所定の順番に従って異なる符号が付与されるバージョン情報を含み、分類プログラムでは該バージョン情報を含む広告分類ＩＤデータで分類し、端末装置の広告データ選別部は、バージョンが新規または更新された場合の広告データのみを選別しても良い。
【００２５】
また、本発明の広告配信システムでは、端末装置は、受信した広告データを他の端末装置に再配信する広告データ再配信部と、再配信先からの広告データ受信完了通知を再配信数として計数するカウンタと、再配信数を格納する再配信数記憶部とを有して、端末装置の管理部は、再配信数を広告データ受信完了通知と共にサーバに通知し、サーバ装置は、再配信数を受信し配信数に加算したことを通知する再配信数加算通知部を有しても良い。
【００２６】
また、本発明の広告配信システムでは、端末装置は、広告データの再配信時に計時を開始し、再配信数を判断するための所定時間が経過するまでを計時するタイマを有しても良い。
【００２７】
また、本発明の広告配信システムでは、サーバ装置は、広告データ受信完了通知と共に受信した配信数に加算する前の再配信数を、各端末装置毎に格納する再配信者データ記憶部と、その再配信者データ記憶部に格納された再配信数のデータを、各端末装置毎の再配信者識別符号（ＩＤ）、広告分類ＩＤ、バージョン情報、および、再配信数のうちの少なくとも１つを用いて昇順あるいは降順に並べ替えて出力するランキング管理部とを有しても良い。
【００２８】
また、本発明の広告配信システムでは、サーバ装置および端末装置が接続される通信回線網は、ネットワーク層あるいはデータリンク層を有してパケットによりデータが送受信され、該パケットのヘッダには、宛先アドレスの一部として少なくとも前記広告分類ＩＤを含んでも良い。
【００２９】
【発明の実施の形態】
以下、本発明を図示した実施形態に基づいて説明する。
【００３０】
実施の形態１．
図１は、本発明の実施の形態１の広告配信システムにおけるサーバ装置の概略構成を示すブロック図であり、図２は、本発明の実施の形態１の広告配信システムにおける端末装置の概略構成を示すブロック図である。
【００３１】
図１のサーバ装置１は、図示しない無線通信回線網を介して端末装置との間で情報の送受信を実施する無線送受信部１１と、配信する広告データおよび配信された端末数（配信数）の記憶あるいは配信のための読み出等の管理を実施する管理部１２と、広告データおよび配信数等を記憶する記憶部１３と、記憶部１３から読み出された広告データを端末装置に配信する広告データ配信部１４と、例えば陰極線管あるいは液晶ディスプレイ等の広告データおよび配信数等を表示するデバイスである表示出力部１５と、例えばキーボードあるいはマウス等のサーバ装置の操作者の選択内容あるいは指示内容を入力するためのデバイスである操作入力部１６を有する。
【００３２】
記憶部１３の中には、広告データを分類するための分類プログラムと、各分類に対応する全ての識別符号（広告分類ＩＤ）を予め格納する広告分類プログラム／ＩＤデータ記憶部３１と、複数の広告データおよびその広告分類ＩＤを格納する広告データ記憶部３２と、広告データの配信数を格納する配信数記憶部３３とを有する。広告データ記憶部３２内には、さらに、広告データの広告分類ＩＤを格納する広告分類ＩＤ記憶領域８１と、広告データ自体を格納する広告データ記憶領域８２を有する。
【００３３】
管理部１２の中には、各端末装置から送出される広告データの受信通知（広告データ受信完了通知）を受信して計数するカウンタ４１と、広告データの送出時に計時を開始し、配信数を判断するための所定時間が経過するまでを計時するタイマ４２を有する。
【００３４】
管理部１２では、広告データを記憶部１３内の広告データ記憶部３２に格納する際に、広告分類プログラム／ＩＤデータ記憶部３１から読み出した広告の分類プログラムに基づいて分類し、その分類に対応する広告分類ＩＤを広告データに付与する。そして、広告データは、広告データ記憶部３２内の広告データ記憶領域８２に格納され、広告分類ＩＤは、広告データ記憶部３２内の広告分類ＩＤ記憶領域８１に格納される。その後、広告データを配信する際には、広告データと対応する広告分類ＩＤが組み合わされて図示しない無線通信回線網に送出される。
【００３５】
また、サーバ装置および端末装置が接続される不図示の通信回線網は、ネットワーク層およびデータリンク層を有しており、広告データ等はパケット形式でデータが送受信される。そのため、広告分類ＩＤは、パケットのヘッダ中に、宛先アドレスの一部として書き込まれる。
【００３６】
また、広告分類ＩＤ記憶領域８１に格納に格納される広告分類ＩＤデータは、その中に、広告データが更新される毎に所定の順番に従って異なる符号が付与されるバージョン情報を含んでいる。そのため、分類プログラムを実行する際には、そのバージョン情報を含む広告分類ＩＤデータを用いて分類が実施される。なお、更新される毎に異なる所定の順番は、例えば、数字の昇順を用いても良いし、アルファベットのＡＢＣ順を用いても良い。
【００３７】
また、広告分類ＩＤデータは、一般的に、上記したバージョン情報の他にも、スポンサーの会社の識別符号（ＩＤ）、製品のＩＤ、有効期限情報、および、メッセージ等を含んでおり、サーバ装置１や端末装置２では、それらのＩＤや情報を用いて広告データの管理が実施されるが、本実施の形態では関係する程度が少ないため詳細な説明を省略する。
【００３８】
さらに、管理部１２では、各端末装置から広告データ受信完了通知を受信した場合、カウンタ４１で計数された広告データ受信完了通知の数を、配信数記憶部３３に格納されていた配信数に加算した後に、その加算結果を再び配信数記憶部３３に格納する。
【００３９】
図２の端末装置２は、図示しない無線通信回線網を介して端末装置との間で情報の送受信を実施する無線送受信部２１と、受信した広告データをその広告分類ＩＤと端末使用者の個別嗜好データに基づいて選別する広告データ選別部２２と、選別された広告データの記憶あるいは読み出等の管理を実施する管理部２４と、選別された広告データを記憶する記憶部２３と、記憶部２３に広告データが格納された場合に広告データ受信完了通知をサーバ装置に送出する広告データ受信完了通知部２５と、陰極線管あるいは液晶ディスプレイ等の広告データ等を表示するデバイスである表示出力部２６と、端末装置の使用者の選択内容あるいは指示内容が入力される操作入力部２７を有する。
【００４０】
記憶部２３の中には、広告データをその広告分類ＩＤと端末使用者の個別嗜好データに基づいて選別するために使用者の個別嗜好を個別嗜好データとして検出する検出プログラムと、端末使用者の個別嗜好データを予め格納する広告分類ＩＤの個別嗜好検出プログラム／個別嗜好データ記憶部５１と、全部の種類の広告分類ＩＤを格納する広告分類ＩＤデータ記憶部５２と、選別された複数の広告データおよびその広告分類ＩＤを格納する広告データ記憶部５３とを有する。広告データ記憶部５３内には、さらに、選別された広告データの広告分類ＩＤを格納する広告分類ＩＤ記憶領域７１と、広告データ自体を格納する広告データ記憶領域７２を有する。
【００４１】
管理部２４では、広告データを受信する前に、予め広告分類ＩＤの個別嗜好検出プログラム／個別嗜好データ記憶部５１から広告分類ＩＤの個別嗜好検出プログラムを読み出し、そのプログラムに従って、広告分類ＩＤデータ記憶部５２から読み出した全部の種類の広告分類ＩＤの中から、端末使用者が個別に嗜好する広告データの広告分類ＩＤを検出する。その検出された広告分類ＩＤは、端末使用者の個別嗜好データとして個別嗜好検出プログラム／個別嗜好データ記憶部５１に格納される。
【００４２】
広告データ選別部２２では、広告データを受信した場合、その受信した広告データを管理部２４の制御により記憶部２３内の広告データ記憶部５３に格納する前に、その受信した広告データのパケットのヘッダに含まれる広告分類ＩＤが、広告分類ＩＤデータ記憶部５２の全部の種類の広告分類ＩＤの何れであるかを判別し、さらに、個別嗜好検出プログラム／個別嗜好データ記憶部５１から読み出した広告分類ＩＤの個別嗜好データに合致するか否かで選別する。また、広告データ選別部２２は、さらに、受信した広告データを選別する際に、パケットのヘッダに含まれる広告分類ＩＤのバージョンが新規または更新された場合の広告データのみを選別する。そして、選別された広告データのみが管理部２４に送出されて広告データ記憶部５３に格納される。
【００４３】
その広告データは、広告データ記憶部５３内の広告データ記憶領域７２に格納され、広告分類ＩＤは、広告データ記憶部５３内の広告分類ＩＤ記憶領域７１に格納される。その後、端末使用者が端末装置２を使用する際に、広告データと対応する広告分類ＩＤが組み合わされて表示出力部２６に表示出力される。
【００４４】
次に、図１の広告配信システムにおけるサーバ装置、および、図２の広告配信システムにおける端末装置の動作について説明する。
【００４５】
図３は、図１に示した本実施の形態の広告配信システムにおけるサーバ装置の動作を示すフローチャートであり、図４は、図２に示した本実施の形態の広告配信システムにおける端末装置の動作を示すフローチャートである。
【００４６】
サーバ装置１の管理部１２は、新規に広告データを追加して記憶部１３に格納する場合や、広告データを更新して新しい広告データを記憶部１３に格納する場合、広告分類プログラム／ＩＤデータ記憶部３１からプログラムとＩＤデータを読み出し、新規または更新する広告データに対してＩＤデータを割り当て、その広告データを広告データ記憶領域８２に格納すると共に、対応するＩＤデータを広告分類ＩＤ記憶領域８１に格納する。つまり、広告データ記憶部３２に格納される広告データには、予め、対応する広告分類ＩＤが付与されて格納されている。
【００４７】
その後のサーバ装置１の管理部１２は、スポンサーとの契約等による定期的あるいは任意のタイミングで広告データを配信（送出）するため、配信タイミングを待ち受ける（Ｓ１）。配信タイミングになった場合（Ｓ１：ＹＥＳ）には、管理部１２と広告データ配信部１４は、広告データ記憶部３２の広告データ記憶領域８２内の全ての広告データを、広告分類ＩＤ記憶領域８１の広告分類ＩＤと対応させて読み出し、無線送受信部１１からパケット形式で送出（配信）する。各広告データに対応する広告分類ＩＤは、各パケットのヘッダに含まれて各端末装置に向けて送出される（Ｓ２）。配信タイミングにならない場合（Ｓ１：ＮＯ）には、配信タイミングを再び待ち受ける（Ｓ１）。
【００４８】
サーバ装置１の管理部１２では、上記したステップＳ２に示したように全ての広告データを送出すると共に、内蔵されたタイマ４２による計時をスタートさせる（Ｓ３）。
【００４９】
その後、サーバ装置１の管理部１２は、各端末装置２からの広告データ受信完了通知を待ち受ける（Ｓ４）。広告データ受信完了通知を受信した場合（Ｓ４：ＹＥＳ）には、管理部１２は、内蔵するカウンタ４１の計数値を１個づつ増加させる（Ｓ５）。広告データ受信完了通知を受信しない場合（Ｓ４：ＮＯ）には、管理部１２は、タイマ４２による計時が所定時間に達したか否かを判断する（Ｓ６）。この場合の所定時間は、例えば、無線通信回線網で一般的なデータを送出した場合の、そのデータの受信完了通知（ＡＣＫ）を受信するまでの時間の理論上の最大値あるいは経験上の最大値とすればよい。
【００５０】
タイマ４２による計時が所定時間に達しない場合（Ｓ６：ＮＯ）には、ステップＳ４に戻って、管理部１２は、各端末装置２からの広告データ受信完了通知を待ち受ける（Ｓ４）が、タイマ４２による計時が所定時間に達した場合（Ｓ６：ＹＥＳ）には、管理部１２は、カウンタ４１の計数値を配信数記憶部３３に格納された数値（配信数）に加算し、新たな配信数として配信数記憶部３３に格納する。
【００５１】
従って、本実施の形態のサーバ装置１では、広告を分類するための分類方法およびその各分類に対応する全ての識別符号（広告分類ＩＤ）を予め格納しておき、複数の広告データに対して、プログラムされた分類方法に従って分類し、その分類に対応する広告分類ＩＤを各広告データに付与して格納してから、各端末装置２に向けて格納された全ての広告データを広告分類ＩＤと共に送出する。
【００５２】
なお、本実施の形態では、広告分類ＩＤは、広告データが更新される毎に所定の順番に従って異なる符号が付与されるバージョン情報を含んでおり、サーバ装置１では、新規あるいは更新される広告データに対して、それに対応する広告分類ＩＤ中のバージョン情報を新規付与または更新する。
【００５３】
また、サーバ装置１では、広告データを送出する時にタイマ４２で計時を開始し、所定時間内に受信した広告データ受信完了通知をカウンタ４１で計数し、受信した広告データ受信完了通知の数を配信数として計数するが、以前の計数結果が配信数として配信数記憶部３３に格納されている場合には、その計数結果を配信数記憶部３３から読み出された以前の配信数に加算して新たな配信数として再び配信数記憶部３３に格納する。
【００５４】
一方、端末装置２の管理部２４は、新規に端末装置２が設置される場合や、端末装置２は既存であっても新規に端末使用者が設定される場合、広告分類ＩＤの個別嗜好検出プログラム／個別嗜好データ記憶部５１からプログラムを読み出すと共に、広告分類ＩＤデータ記憶部５２から全ての種類の広告分類ＩＤデータを読み出し、端末使用者の嗜好する広告分類ＩＤを検出して、その検出結果の広告分類ＩＤのデータを端末使用者の個別嗜好データとして、個別嗜好検出プログラム／個別嗜好データ記憶部５１に格納する。つまり、個別嗜好検出プログラム／個別嗜好データ記憶部５１には、予め、端末使用者の嗜好する広告分類ＩＤのデータが格納されている。
【００５５】
その後の端末装置２の管理部２４は、広告データの受信を待ち受ける（Ｓ１１）。広告データを受信した場合（Ｓ１１：ＹＥＳ）には、個別嗜好検出プログラム／個別嗜好データ記憶部５１から端末使用者の嗜好する広告分類ＩＤのデータを読み出し（Ｓ１３）、受信した広告データのパケットのヘッダに内蔵された広告分類ＩＤデータが端末使用者の嗜好する広告分類ＩＤデータに合致するか否かを判断する（Ｓ１４）。
【００５６】
広告データの広告分類ＩＤデータが端末使用者の嗜好する広告分類ＩＤデータに合致する場合（Ｓ１４：ＹＥＳ）には、さらに、その広告分類ＩＤデータが広告データ記憶部５３内の広告分類ＩＤ記憶領域７１に既に格納されたものと合致しないことを確認することで、その広告分類ＩＤデータが新規のものであるか更新された最新のものであるかを判断する（Ｓ１５）。
【００５７】
広告データの広告分類ＩＤデータが端末使用者の嗜好する広告分類ＩＤデータに合致しない場合（Ｓ１４：ＮＯ）、および、広告分類ＩＤデータが新規のものであるか更新された最新のものでない場合（Ｓ１５：ＮＯ）には、受信した広告データを広告分類ＩＤデータと共に破棄し（Ｓ１８）、処理を終了する。
【００５８】
広告分類ＩＤデータが新規のものであるか更新された最新のものである場合（Ｓ１５：ＹＥＳ）には、管理部２４は、その広告データを広告分類ＩＤデータと共に広告データ記憶部５３内に格納する。広告データは、広告データ記憶領域７２に格納され、広告分類ＩＤデータは、広告分類ＩＤ記憶領域７１に格納される。
【００５９】
選別された広告データと広告分類ＩＤデータの格納が終了した場合、管理部２４から広告データ受信完了通知部２５に指示が出力され、広告データ受信完了通知部２５から無線送受信部２１と不図示の無線通信回線網を介してサーバ装置１に向けて広告データ受信完了通知（ＡＣＫ）が送出される（Ｓ１７）。
【００６０】
従って、本実施の形態の端末装置２では、予め、全ての広告分類ＩＤのうちで少なくとも端末使用者の嗜好する広告分類に対する広告分類ＩＤのデータを個別嗜好データとして各端末装置毎に予め格納しておき、受信した広告データのパケットのヘッダに含まれる広告分類ＩＤデータが個別嗜好データと合致するか否かを確認することで選別し、選別された広告データのみを広告データ記憶部５３に格納し、格納後にサーバ装置１に向けて広告データ受信完了通知を送出する。
【００６１】
なお、本実施の形態では、広告データを選別する際に、広告分類ＩＤ中のバージョン情報についても確認するので、端末装置２では、個別嗜好データと合致するだけでなく、新規あるいは更新される広告データのみを広告データ記憶部５３に格納する。
【００６２】
また、広告データ記憶部５３が比較的小容量であることから容量不足が懸念される場合には、例えば、一旦端末使用者に格納された広告データが閲覧されたら、その広告分類ＩＤデータのみを保存して広告データ自体は破棄することで広告データ記憶部５３を効率よく運用するようにしても良い。
【００６３】
なお、上記したサーバ装置１および端末装置２では、表示出力部１５、２６、あるいは、操作入力部１６、２７を別個のものとして説明したが、一体化されたコンソールであっても良く、また、入出力部が任意の通信回線網やローカルエリアネットワーク（ＬＡＮ）等により接続されて遠隔地に配置されていても良い。また、無線送受信部１１、２１についても、任意の通信回線網やローカルエリアネットワーク（ＬＡＮ）等により接続された独立基地局であっても良い。
【００６４】
このように、本実施の形態の広告配信システムおよび広告配信方法では、サーバ装置１側に端末使用者の個別嗜好データを登録しなくても端末使用者が個別に嗜好する広告データのみを表示させることができるので、広告効率が高い状態を維持することができる。また、全ての端末装置に対して同様な広告データを１回だけ配信（送出）して端末装置側で選択させるため、通信回線網におけるトラフィック量を増加させないようにできる。
【００６５】
さらに、本実施の形態の広告配信システムおよび広告配信方法では、端末使用者の個別嗜好データも通信回線網で送受信しないことから、それ自体の通信料を減らせることに加えて、パケットのヘッダ中に個別嗜好データ含ませる必要がなくなることから、さらに、通信回線網のトラフィック効率を向上させることができる。
【００６６】
また、本実施の形態の広告配信システムおよび広告配信方法では、例えば、個別嗜好データの識別子や広告分類ＩＤデータの識別子（ＩＤ）部分を、通信回線網のネットワーク層やデータリンク層に実装させることで、広告配信システムを利用した上位アプリケーション層の開発効率を向上させることができる。
【００６７】
また、本実施の形態の広告配信システムおよび広告配信方法では、端末装置２からは、既に格納済みの広告データについては広告データ受信完了通知（ＡＣＫ）がサーバ装置に返信されないことから、サーバ装置１では、ＡＣＫの受信を計数する事で、広告データが配信された端末装置２の数量（または端末使用者の数量）を正確に把握することが可能になる。従って、本実施の形態の広告配信システムおよび広告配信方法は、広告データのマーケティング調査が正確に実施できるため、例えば、スポンサーに対する広告効果の説明を明確に提示することができる。
【００６８】
実施の形態２．
図５は、本発明の実施の形態２の広告配信システムにおけるサーバ装置の概略構成を示すブロック図であり、図６は、本発明の実施の形態２の広告配信システムにおける端末装置の概略構成を示すブロック図である。
【００６９】
図５に示した本実施の形態のサーバ装置１が、図１に示した実施の形態１のサーバ装置１と相違する点は以下のようになる。
【００７０】
（１）記憶部１３内に、広告データを再配信する端末装置２を再配信者として、その再配信者に関するデータを記憶する記憶部（再配信者データ記憶部）３４を設けた点。
【００７１】
（２）再配信者としての端末装置２から再配信数を受信した場合に、その端末装置２に再配信数を受信したことを通知する再配信数受信通知部１７を設けた点。
【００７２】
（３）管理部１２内に、再配信者が再配信した広告データの数（再配信数）、あるいは、その再配信数に基づく報奨金に対して、昇順あるいは降順の並べ替え（順位付け）を実施するランキング管理部４３を設けた点。
【００７３】
また、再配信者データ記憶部３４内には、さらに、再配信された広告データの広告分類ＩＤを格納する広告分類ＩＤ記憶領域８３と、再配信した端末装置２の識別符号である再配信者ＩＤを格納する再配信者ＩＤ記憶領域８４と、再配信した端末装置が再配信先の端末装置から受信した広告データ受信完了通知を再配信数として計数した再配信数を格納する再配信数記憶領域８５を有する。
【００７４】
図６に示した本実施の形態の端末装置２が、図２に示した実施の形態１の端末装置２と相違する点は以下のようになる。
【００７５】
（４）記憶部２３内に、端末装置２から他の端末装置へ広告データを再配信した数を格納する記憶部（再配信数記憶部）５４を設けた点。
【００７６】
（５）記憶部２３から読み出された全広告データを別の端末装置に再配信する広告データ再配信部２８を設けた点。
【００７７】
（６）　管理部２４の中に、再配信された広告データを受信した端末装置から送出（返送）される広告データの受信通知（広告データ受信完了通知）を受信して計数するカウンタ６１を設けた点。なお、端末装置２のカウンタ６１は、サーバ装置１におけるカウンタ４１と同様な機能を有するものである。
【００７８】
（７）　管理部２４の中に、端末装置２から広告データを再配信するために送出する時に計時を開始し、再配信数を判断するための所定時間が経過するまでを計時するタイマ６２を有する点。なお、端末装置２のタイマ６２は、サーバ装置１におけるタイマ４２と同様の機能を有し、設定される所定時間も同様である。本実施の形態の他の構成は、実施の形態１に示した構成と同様であるので説明を省略する。
【００７９】
次に、図５の広告配信システムにおけるサーバ装置、および、図６の広告配信システムにおける端末装置の動作について説明する。
【００８０】
図７は、図５に示した本実施の形態の広告配信システムにおけるサーバ装置の動作を示すフローチャートであり、図８は、図６に示した本実施の形態の広告配信システムにおける端末装置の動作を示すフローチャートである。
【００８１】
まず、サーバ装置１側の動作を説明する。図７のステップＳ２１〜Ｓ２５とＳ２９〜Ｓ３０は、実施の形態１における図３のステップＳ１〜Ｓ５とＳ６〜Ｓ７と同様の動作であるので、同じ説明については省略し、異なるステップＳ２６〜Ｓ２８に関係して異なる動作のみを説明する。
【００８２】
サーバ装置１では、ステップＳ２４で広告データ受信完了通知を受信すると、計数（カウント）する（Ｓ２５）と共に、広告データ受信完了通知に付随して広告データの再配信数の通知を受信したか否かの確認を行う（Ｓ２６）。広告データの再配信数通知を受信しない場合（Ｓ２６：ＮＯ）には、ステップＳ２９に進んでタイマ４２で所定時間が経過したか否かの確認を行うが、広告データの再配信数通知を受信した場合（Ｓ２６：ＹＥＳ）には、再配信数記憶領域８５に格納された端末装置２（再配信者）毎の再配信数に加算して格納する（Ｓ２７）。
【００８３】
なお、ステップＳ２７では、広告データの再配信数通知中で、再配信者ＩＤが新規の場合には、その再配信者ＩＤを再配信者ＩＤ記憶領域８４に登録し、再配信した広告分類ＩＤが新規の場合には、その広告分類ＩＤを広告分類ＩＤ記憶領域８３に格納する。
【００８４】
ステップＳ２７の処理が終了したら、再配信データ受信通知部１７から端末装置２（再配信者）に向けて再配信データを受信した通知（再配信データ受信通知）を送出（返送）し（Ｓ２８）、ステップＳ２９に進んでタイマ４２で所定時間が経過したか否かの確認を行う。その後、所定時間が経過した場合（Ｓ２９：ＹＥＳ）には、カウンタ４１の計数結果を配信数記憶部３３内に格納された配信数と加算するが、本実施の形態では、この時に再配信者データ記憶部３４内の各再配信者毎の再配信数も加算することができるので配信数を飛躍的に増加させることができる。
【００８５】
次に端末装置２側動作を説明する。図８のステップＳ４１、Ｓ４３〜Ｓ４７とＳ５２は、実施の形態１における図４のステップＳ１１、Ｓ１２〜Ｓ１６とＳ１８と同様の動作であるので同じ説明については省略し、異なるステップＳ４２、Ｓ４８〜Ｓ５１およびＳ６１〜Ｓ６６に関係して異なる動作のみを説明する。
【００８６】
端末装置２が広告データを受信した場合（Ｓ４１：ＹＥＳ）には、ステップＳ４３に進み、実施の形態１のステップＳ１２以降と同様な処理を実施する。広告データを受信しなかった場合（Ｓ４１：ＮＯ）には、広告データを再配信するか否かを判断する（Ｓ４２）。再配信しない場合（Ｓ４２：ＮＯ）には、ステップＳ４１に戻る。再配信する場合（Ｓ４２：ＹＥＳ）には、受信した全広告データを２重あるいは２回に分けて送出し、一方は広告データ選別部２２に送出して選別させてから管理部２４経由で広告データ記憶部５３に格納させ、他方は広告データ選別部２２を選別無しで通過させて管理部２４経由で全広告データ一時記憶部５５に格納させる。
【００８７】
また、ステップＳ４２で広告データを再配信するか否かを判断する際には、サーバ装置１側から受信した広告データの受信タイミングやヘッダ内容の他の配信条件が成立するか否かで判断しても良い。例えば、不図示のタイマにより１０分毎を計時した場合や、多数の人が端末装置を利用している時を示す空きチャンネル数が少ない時を検出した場合、あるいは、サーバ装置１から所定数の電子メールを受信した場合等である。
【００８８】
再配信のステップＳ６１〜Ｓ６６は、実施の形態１の図３に示したサーバ１の動作のステップＳ２〜Ｓ７とほぼ同様であるが用語と構成が異なっている。例えば、用語が違う点では再配信と配信の違う点があり、構成で違う点では広告データ配信部１４ではなく広告データ再配信部２８から再配信される点、管理部２４の中にカウンタ６１とタイマ６２が設けられる点、再配信数が再配信数記憶部５４に格納される点等である。
【００８９】
一方、端末装置２では、実施の形態１と同様な広告データの選別処理も実施されており、広告データ記憶部５３内に選別された広告データと広告分類ＩＤが格納された（Ｓ４７）後に、広告データの配信元がサーバ装置１であるか否かの判断が実施され（Ｓ４８）、配信元がサーバ装置１でない場合（Ｓ４８：ＮＯ）には処理を終了し、配信元がサーバ装置１である場合（Ｓ４８：ＹＥＳ）には、再配信数記憶部５４から再配信数が読み出され、広告データ受信完了通知の送信時にその再配信数が同時に送信される（Ｓ４９）。
【００９０】
その後、端末装置２ではサーバ装置１からの再配信数加算通知を受信したか否かの判断が実施され（Ｓ５０）、再配信数加算通知を受信しない場合（Ｓ５０：ＮＯ）には処理を終了し、再配信数加算通知を受信した場合（Ｓ５０：ＹＥＳ）には、再配信数記憶部５４に格納された再配信数をクリアして（Ｓ５１）処理を終了する。このようにして、再配信数記憶部に必要以上の記憶容量を必要としないようにしてコストの増加を抑制することができる。
【００９１】
次に、図５、図６の広告配信システムにおいて、端末装置２（再配信者）毎に再配信数の管理が必要になった場合の動作について説明する。
【００９２】
図９は、図５に示した本実施の形態の広告配信システムにおけるサーバ装置の再配信数管理時の動作を示すフローチャートである。
【００９３】
まず、サーバ装置１は、サーバ装置１の操作入力部１６あるいは端末装置２の操作入力部２７からの配信管理指示入力を待ち受ける（Ｓ３１）。配信管理指示が入力した場合（Ｓ３１：ＹＥＳ）には、再配信者データ記憶部３４の各記憶領域８３〜８５のデータが読み出されて（Ｓ３２）、管理部１２内のランキング管理部４３で所定の広告分類ＩＤや再配信数をキーとして並べ替えが実施され（Ｓ３３）、その並べ替えられた再配信者データが配信管理指示を入力した装置の表示出力部１５または２６に出力される（Ｓ３４）。配信管理指示が入力しない場合（Ｓ３１：ＮＯ）には、配信管理入力を再び待ち受ける（Ｓ１）。
【００９４】
その後、表示出力された再配信者データに対して、再度、別のキーを用いて並べ替えを再度実施するか否かの判断が実施され（Ｓ３５）、並べ替えを再度実施する場合（Ｓ３５：ＹＥＳ）には、ステップＳ３３戻り、並べ替えを再度実施しない場合（Ｓ３５：ＮＯ）には、再配信管理を終了するか否かの判断が実施される（Ｓ３６）。再配信管理を終了しない場合（Ｓ３６：ＮＯ）には、ステップＳ３２に戻って再配信者データを読み出し、再配信管理を終了する場合（Ｓ３６：ＹＥＳ）には、処理を終了する。
【００９５】
なお、ランキング管理部４３で再配信者データを並べ替えるキーとしては、１次的には上記したように広告分類ＩＤや再配信数等であるが、他のテーブル等と比較参照する等の処理を実施することで、例えば、再配信者毎の報償金額等についても並べ替えてランキング表示させることができる。
【００９６】
このように本実施の形態の場合でも、各端末装置毎に設定される端末使用者の個別嗜好データはサーバ装置側に送信されないので、実施の形態１で示した利点は本実施の形態でも損なわれない。すなわち、サーバ装置１側に端末使用者の個別嗜好データを登録しなくても端末使用者が個別に嗜好する広告データのみを表示させることができるので、広告効率が高い状態を維持することができ、全ての端末装置に対して同様な広告データを１回だけ配信（送出）して端末装置側で選択させ、端末使用者の個別嗜好データも通信回線網で送受信しないことから、それ自体の通信料を減らせることに加えて、パケットのヘッダ中に個別嗜好データ含ませる必要をなくし、通信回線網におけるトラフィック量を増加させないようにできる。
【００９７】
また、個別嗜好データの識別子や広告分類ＩＤデータの識別子（ＩＤ）部分を通信回線網のネットワーク層やデータリンク層に実装させることで、広告配信システムを利用した上位アプリケーション層の開発効率を向上させることができることや、端末装置２に既に格納済みの広告データについてはサーバ装置で計数しないので配信数量を正確に把握でき、広告データのマーケティング調査が正確になり、スポンサーに対する広告効果の説明を明確に提示できることについても実施の形態１と同様である。
【００９８】
本実施の形態で端末装置２では、さらに、例えば、ステップＳ４８の判断を、広告データの配信元がサーバ装置１の場合だけでなく、その端末装置２よりもよりサーバ装置１側の端末装置が広告データの再配信元である場合には再配信数を送出するようにし、再配信元の端末装置２に図５のサーバ装置１に示したような再配信者データ記憶部３４を設けてやることで、再配信を数珠繋ぎ的に拡大させ、サーバ装置１の周辺の端末装置２のみでなく、より遠くの端末装置２にも広告データを配信できるようになる。
【００９９】
また、本実施の形態の再配信者としての端末装置２は、例えば、新規広告データの受信時や更新広告データの受信時等のサーバ装置１との通信時に、それまでの再配信数をサーバ装置１に対して申請する事ができるので、端末装置２は単に端末使用者の嗜好に合致した広告データを受信して表示させる受動的な装置としてだけでなく、再配信数に応じた報酬を得る能動的な装置にすることができる。このことは、端末装置２を特定の会社の広告を中継する広告塔として利用できることになるので、例えば、特定会社のマスコットキャラクタの外観形状を有する端末装置を利用者に無償配布し、広告データ等を再配信させることで端末装置の費用を補償するような広告活動が可能になる。
【０１００】
また、本実施の形態のサーバ装置１では、サーバ装置１の操作者あるいは端末装置２の使用者からの入力により、再配信者としての各端末装置２の再配信数あるいは報奨金等を、サーバ装置１におけるランキング情報として出力できるので、再配信者は広告を選択する際の基礎データとして活用でき、サーバ操作者は報奨金等の管理が容易であり、スポンサー（広告主）に対して再配信数のデータの根拠等を明確に表示できるようになる。
【０１０１】
なお、上記した実施の形態１は、例えば、ホットスポット等の限られた領域内に広告データを配信する場合に有効であり、実施の形態２は、ホットスポット以外の広い領域にも広告データを配信する場合に有効である。
【０１０２】
また、上記した各実施の形態では、広告データを配信する場合を示したが、例えば、任意の商店や商店街等のクーポン券の画像データ、イベント情報等の配信にも利用可能であり、また、通信回線網として無線通信回線網を利用する場合を示したが、本発明は有線の通信回線網に適用しても良い。
【０１０３】
【発明の効果】
上記のように本発明では、各端末装置毎に設定される端末使用者の個別嗜好データはサーバ装置側に送信させないで、端末使用者が個別に嗜好する広告データのみを表示させることができるので、広告効率が高い状態を維持することができる。
【０１０４】
また、本発明では、全ての端末装置に対して同様な広告データを１回だけ配信（送出）して端末装置側で選択させ、端末使用者の個別嗜好データも通信回線網で送受信しないことから、それ自体の通信料を減らせることに加えて、パケットのヘッダ中に個別嗜好データ含ませる必要をなくし、通信回線網におけるトラフィック量を増加させないようにできる。
【０１０５】
また、本発明では、個別嗜好データの識別子や広告分類ＩＤデータの識別子（ＩＤ）部分を通信回線網のネットワーク層やデータリンク層に実装させることで、広告配信システムを利用した上位アプリケーション層の開発効率を向上させることができる。
【０１０６】
また、本発明では、端末装置が既に格納済みの広告データについてはサーバ装置で計数しないので配信数量を正確に把握でき、広告データのマーケティング調査が正確になり、スポンサーに対する広告効果の説明を明確に提示できる。
【０１０７】
また、本発明では、端末装置から再配信を数珠繋ぎ的に拡大させることで、サーバ装置の周辺の端末装置のみでなく、より遠くの端末装置にも広告データを配信することができる。
【０１０８】
また、本発明では、再配信者としての端末装置を、広告データを受信して表示させる受動的な装置としてだけでなく、再配信数に応じた報酬を得る能動的な装置にすることができ、端末装置を特定の会社の広告を中継する広告塔として利用することができ、端末装置を利用者に無償配布して広告データ等を再配信させる等の広告活動が可能になる。
【０１０９】
また、本発明では、サーバ装置の操作者あるいは端末装置の使用者からの入力により、再配信者としての各端末装置の再配信数あるいは報奨金等を、サーバ装置におけるランキング情報として出力できるので、再配信者は広告を選択する際の基礎データとして活用でき、サーバ操作者は報奨金等の管理が容易であり、スポンサー（広告主）に対して再配信数のデータの根拠等を明確に表示できるよう
になる。
【図面の簡単な説明】
【図１】本発明の実施の形態１の広告配信システムにおけるサーバ装置の概略構成を示すブロック図である。
【図２】本発明の実施の形態１の広告配信システムにおける端末装置の概略構成を示すブロック図である。
【図３】図１に示した実施の形態１の広告配信システムにおけるサーバ装置の動作を示すフローチャートである。
【図４】図２に示した実施の形態１の広告配信システムにおける端末装置の動作を示すフローチャートである。
【図５】本発明の実施の形態２の広告配信システムにおけるサーバ装置の概略構成を示すブロック図である。
【図６】本発明の実施の形態２の広告配信システムにおける端末装置の概略構成を示すブロック図である。
【図７】図５に示した実施の形態２の広告配信システムにおけるサーバ装置の動作を示すフローチャートである。
【図８】図６に示した実施の形態２の広告配信システムにおける端末装置の動作を示すフローチャートである。
【図９】図５に示した実施の形態２の広告配信システムにおけるサーバ装置の再配信数管理時の動作を示すフローチャートである。
【符号の説明】
１　サーバ装置、　２　端末装置、　１１、２１　無線送受信部、　１２、２４　管理部、　１３、２３　記憶部、　１４　広告データ配信部、　１５、２６表示出力部、　１６、２７　操作入力部、　１７　再配信データ受信通知部、２２　広告データ選別部、　２５　広告データ受信完了通知部、　３１　広告分類プログラム／ＩＤデータ記憶部、　３２、５３　広告データ記憶部、　３３配信数記憶部、　４１　カウンタ、　４２　タイマ、　５１　広告分類ＩＤの個別嗜好検出プログラム／個別嗜好データ記憶部、　５２　広告分類ＩＤデータ記憶部、　７１、８１、８３　広告分類ＩＤ記憶領域、　７２、８２　広告データ記憶領域、　８４　再配信者ＩＤ記憶領域、　８５　再配信数記憶領域。
【図１】
2004118382.tif 000003
【図２】
2004118382.tif 000004
【図３】
2004118382.tif 000005
【図４】
2004118382.tif 000006
【図５】
2004118382.tif 000007
【図６】
2004118382.tif 000008
【図７】
2004118382.tif 000009
【図８】
2004118382.tif 000010
【図９】
2004118382.tif 000011